(57)【要約】【課題】  本発明は、犬の行動を制限したり、負担を掛けたりすることなく犬に装着され、犬の排泄姿勢を利用して、自動的に犬に尻部に位置されて排泄物を随伴者の手を煩わせることなく回収することを目的とする犬用の自動糞取り装置を提供するものである。【解決手段】  この発明に係る犬用の自動糞取り装置は、上犬の背骨を跨架して胴部のやや後側に偏して装着されるアーチ状に形成される支持体１０と、この支持体１０の後端側に回動可能に軸着される同様背骨を跨架する回動体２０と、この回動体２０の後端側に形成されて、犬の尻側からやや突出するように形成されて、糞を収容するパック３１を着脱可能に取付ける採糞体３０と、採糞体３０を回動可能に保持する案内索４０とにより一体的に構成されている。【選択図】      図１
2006129856.tif 000002
【特許請求の範囲】
【請求項１】
犬の背骨を跨架して胴部の後ろ寄りに装着されるアーチ状に形成される複数の支持体と、この支持体の後端側に一体的に連接され、同様背骨を跨架して尻側に向かって回動可能な回動体と、この回動体の後端側に一体的に形成され、糞を収容するパックを着脱可能に取付ける回動可能な採糞体とよりなる犬用の自動糞取り装置。
【請求項２】
前記支持体は、少なくとも２本の略逆Ｕ字状の吊架フレーム部材の両端に前後方向に伸びるサイドフレーム部材を一体的に設けてアーチ状に形成され、また、回動体は、支持体の吊架フレーム部材と同様略逆Ｕ字状に形成され、その両端をサイドフレームの延長部終端に支軸を介して軸着されて、犬の尻部側に向かって回動可能に形成され、その軸着部に設けられるストッパにより回動を規制してなる請求項１記載の犬用の自動糞取り装置。
【請求項３】
前記回動体に一体的に連続される採糞体は、回動体の両端側から後方に伸びるアーム部材の先端に設けられる軸支部に軸着される回動可能な保持フレームを形成してなる請求項１又は２のいずれかに記載の犬用の自動糞取り装置。
【請求項４】
前記採糞体は、支持体にその始端部を取付け、回動体のやや頂部寄りに設けられる挿通環を通って摺動され、その終端部を保持フレームに取付けられる、スチールやステンレスのワイヤーからなる案内索を設けてなる請求項１ないし３のいずれかに記載の犬用の自動式糞取り装置。
【請求項５】
前記支持体は、サイドフレーム部材に設けられている腹部を卷回する胴ベルトと、始端側の吊架フレーム部材に設けられる首輪と連結する連結ベルトとを設けてなる請求項１及び２に記載の犬用の自動糞取り装置。
【発明の詳細な説明】
【技術分野】
【０００１】  本発明は、散歩途中の犬の排泄を自動的に採糞する糞取り装置に関するものである。
【背景技術】
【０００２】  従来、この種の散歩途中の犬の排泄物を回収する器具あるいは装置としては、その多くが排泄した後簡単かつ清潔に後始末できるかに重点が置かれた携行用の採糞・収容器具や装置が見られた。【０００３】  また、犬が行う排泄行為の後処理のための器具の携行を必要とせず、煩雑な糞等の排泄物処理を全く行なう必要がないよう、犬体に装架支持される装架体と、この装架体に接続され犬体の尻部にあてがわれ排泄物の通過孔が開口された尻当て支持体と、尻当て支持体に着脱可能に装着され通過孔に連通する受け口を有するとともに排泄物の受容部を備えた袋体とを備えた犬の排泄物の回収装置がある（例えば、特許文献１参照。）。【０００４】
【特許文献１】特開２００２−１４２５９４号公報
【発明の開示】
【発明が解決しようとする課題】
【０００５】  しかしながら、この犬の排泄物の回収装置は、犬体の首や前脚に装着されるベルト状の前部締め部と、犬体の胴後部に装着されるシート状の胴後部当て材とが背骨伸縮帯体部で一体に構成されているため、散歩中の犬の行動を妨げ易かった。【０００６】  本発明は、散歩に連れて行くとき、できるだけ犬の行動を制限したり、負担を掛けたりすることなく犬に装着され、散歩途中における犬の排泄姿勢を利用して、自動的に犬に尻部に位置されて排泄物を随伴者の手を煩わせることなく、自動的に回収することを目的とする犬用の自動糞取り装置を提供するものである。
【課題を解決するための手段】
【０００７】  本発明に係る犬用の自動糞取り装置は、犬の背骨を跨架して胴部の後ろ寄りに装着されるアーチ状に形成される支持体と、この支持体の後端側に一体的に連接され、同様背骨を跨架して尻側に向かって回動可能な回動体と、この回動体の後端側に一体的に形成され、糞を収容するパックを着脱可能に取付ける採糞体と、この採糞体を回動可能に保持する案内索よりなるものである。【０００８】  前記支持体は、少なくとも２本の略逆Ｕ字状の吊架フレーム部材の両端に前後方向に伸びるサイドフレーム部材を一体的に設けてアーチ状に形成され、また、回動体は、支持体の吊架フレーム部材と同様略逆Ｕ字状に形成され、その両端をサイドフレームの延長部終端に支軸を介して軸着されて、犬の尻部側に向かって回動可能に形成され、その軸着部に設けられるストッパにより回動を規制されているものである。【０００９】  また、回動体に一体的に連続される採糞体は、回動体の両端側から後方に伸びるアーム部材の先端に設けられる軸支部に軸着され、糞を収容するパックを着脱可能に取付ける回動可能な保持フレームを形成してなるものである。【００１０】  さらに、前記採糞体は、支持体にその始端部を取付け、回動体のやや頂部寄りに設けられる挿通環を通って摺動され、その終端部を保持フレームに取付けられる、スチールやステンレスのワイヤーからなる案内索を設けてなるものである。【００１１】  また、前記回動体は、支持体側への回動及び尻部側への回動範囲が規制されるように、その両端に支持体との軸着部付近にストッパを設けてなるものである。【００１２】  また、支持体には、２本又はそれ以上の吊架フレーム部材を連結する補強フレーム部材が設けられている。【００１３】  また、支持体は、サイドフレーム部材に設けられている腹部を卷回する胴ベルトと、始端側の吊架フレーム部材に設けられて首輪と連結する連結ベルトとによって支持体を犬にしっかりと固定してなるものである。
【発明の効果】
【００１４】  上記構成を有する本発明に係る犬用の自動糞取り装置によれば、アーチ状に形成される支持体と、この支持体の後端側に一体的に連接され、尻部側に向かって回動可能な回動体と、この回動体の後端側に一体的に形成されて糞を収納するパックを着脱可能に取付ける採糞体と、案内索とより構成されているため、犬の背中に装着されても散歩中の動きに支障がなく、犬が途中で排便のために腰を落とし込んだ姿勢を取ると回動体が自動的に作動して採糞体が犬の尻部の落下位置に配置されて、排便された糞が自動的に処理され、随伴者の手を煩わすことがない。【００１５】  さらに、支持体は少なくとも２本の略逆Ｕ字状の吊架フレーム部材の両端に前後方向に伸びるサイドフレーム部材を一体的に設けてアーチ状に形成され、また、回動体も、吊架フレーム部材と同様略逆Ｕ字状に形成されることにより、犬の腰回り等を被覆して装着することがなく犬に負担を掛けず、しかもフィットした堅牢な状態で装着することができる。【００１６】  さらに、回動体は、その両端をサイドフレーム部材の延長部終端において軸着され、支持体との間に若干の間隔を置いて形成され、その軸着部に設けられるストッパにより前後方向の回動を規制して、犬の尻部側に向かって一定の範囲内で回動されるように形成されることにより、散歩中に緩んで移動したり、後端側に形成されている採糞体が妄りに動いたりすることがない。【００１７】  また、支持体の先端側の吊架フレームの一端にその始端部を取付け、回動体に設けられる挿通環を通って、その終端部を糞受けフレームの紙パックを取り付ける縁枠に取付けられる案内索が回動体に設けられる挿通環の部分を頂点として設けられているもので、装着時には案内索が採糞体の縁枠を引っ張って、犬の尻部からやや離れた位置に配置して、犬が排便時に尻を落とし込んだときは、腰の辺りに跨架されている回動体が尻部側に回動することにより、採糞体を犬の尻部の落下位置に配置して、排便された糞をパック内に自動的に収容できるものである。【００１８】  また、前記支持体は、２本又はそれ以上の吊架フレーム部材を連結する補強フレーム部材が設けられていることにより、支持体の変形を防止して、犬の体の一部に食い込んだり、擦過したりすることがなく、犬に過重な負担をかけ、その動きを制限することがなく、犬に自由な散歩を楽しませることができる。【００１９】  また、前記支持体は、サイドフレーム部材に腹部を卷回する胴ベルトを設け、始端側の吊架フレーム部材には首輪と連結する連結ベルトを設けていることにより、犬が散歩中の走行によって、支持体や一体的に設けられる回動体や採糞体が前後、左右にずれることを防ぐことができるなるものである
【発明を実施するための最良の手段】
【００２０】  添付図面において、図１は、本発明に係る犬用の自動糞取り装置を示す斜視図であり、図２は、その平面図であり、図３は、犬の散歩中の装着状態を示す略示図であり、図４は、犬の排便中の使用状態を示す略示図であり、図５は、回動体のストッパを示す略示図で、（イ）は散歩中の装着状態におけるストッパを、（ロ）は排便時の使用状態における他側のストッパを示すもので、図６は、採糞体を示す斜視図であり、図７は、同じく採糞体の端面図であり、図８は、  犬に取付けた散歩中の装着状態を示す略示図であり、図９は  犬の排便中の姿勢における使用状態を示す略示図である。
【００２１】    本発明に係る犬用の自動糞取り装置は、図１及び図２に示すように、犬の背骨を跨架して胴部のやや後側に偏して装着されるアーチ状に形成される支持体１０と、この支持体１０の後端側に回動可能に軸着される同様背骨を跨架する回動体２０と、この回動体２０の後端側に形成されて、犬の尻部側からやや突出するように形成されて、糞を収容する紙製のパック３１を着脱可能に取付ける採糞体３０とにより一体的に構成されている。
【００２２】  支持体１０は、図１及び図２に示すように、ステンレスやスチール等の剛性を有するワイヤーから製せられ、犬の背骨を跨架する適宜間隔を置いて配置される少なくとも２本の略逆Ｕ字状の吊架フレーム部材１１、１１と、その両下端縁で直交状に溶接され、延長端１３を伸張したサイドフレーム部材１２、１２とによりアーチ状に形成されている。
【００２３】  また、支持体１０は、２本の吊架フレーム部材１２、１２の頂点及び側面間を連結する補強フレーム部材１４を設けて補剛されている。
【００２４】  前記支持体１０の後端側に配置される回動体２０は、図１及び図２に示すように、吊架フレーム部材１１と同様ワイヤーから略逆Ｕ字状に製せられ、その両下端をサイドフレーム１２の延長端１３の終端を軸着部とする支軸２１に軸着され、犬の尻部側に向かって回動可能に取付けられ、その軸着部に設けられるストッパによりその回動範囲及びその方向が規制されている。
【００２５】  このストッパは、回動体２０の一側には、図５（イ）に示すように、回動体２０の支軸２１のやや上部に設けられる略Ｌ字状のストッパ２２が、また反対側には図５（ロ）に示すように、回動体２０の下端に略鈎状のストッパ２３がそれぞれ設けられている。
【００２６】  このストッパは、図８に示すように、犬がその散歩中の装着状態においては、図３に示すように、一側の略Ｌ字状のストッパ２２が、その先端に設けられている横向きの突部をサイドフレーム１２の延長端１３の上面に当接して、回動体２０が支持体１０側に妄りに回動するのを規制している。
【００２７】  また、図９に示すように、犬が排便姿勢の状態に移ったときは、図４に示すように、反対側に設けられている鈎状のストッパ２３が、その先端に設けられている横向きの突部をサイドフレーム１２の延長端１３の下面に当接して、採糞体３０が犬の尻側の正確な位置に配置されるよう、回動体２０の必要以上の回動を規制しているものである。
【００２８】  さらに、回動体２０には、同一の剛性を有するワイヤーから製せられて、その先端側に平面視略倒台形状のアーム状の取付部材２４が一体的に突出されて、採糞体３０を回動可能に保持している。
【００２９】  回動体２０の後端側に設けられる紙製のパック３１を着脱可能に取付ける採糞体３０は、図６及び図７に示すように、回動体２の回動に追随して下方に回動されるように、回動体２に設けられる取付部材２４の先端頂面に蝶番当の軸支部３２を介して回動可能に設けられる略コ字状の保持フレーム３３と、この保持フレーム３３の両側に差し込状に取付けられる縁枠３４とにより形成され、排糞を収容する紙製又は布製のパック３１は縁枠３４に設けられる差込溝３５に着脱可能に取付けられている。
【００３０】  なお、パック３１は、保持フレーム３３に差込状に着脱するもの以外、バネを用いて挟持したり、クリップ等の止具を用いて係止したりすることも可能である。
【００３１】  さらに、採糞体３０は、支持体１０にその始端部を取付け、回動体２０のやや頂部寄りに設けられた挿通環２５を挿通して摺動され、その終端部を保持フレーム３３に取付けられる、スチールやステンレスのワイヤーからなる案内索４０が設けられている。
【００３２】  緊張状態を維持している案内索４０は、その装着時には、図３に示すように、案内索４０の張力によって回動体２０の取付部材２４と採糞体３０とが略水平状に位置され、また排便時には、図４に示すように、回動体２０の回動に追随してやや下方向に位置される案内索４０の張力により、採糞体３０が犬の排便を採糞しやすい配置になるようにやや傾斜状に位置されるものである。
【００３３】  支持体１は、図２に示すように、サイドフレーム部材１２、１２間に渡し込んで犬の腹部を卷回する胴ベルト１５が設けられ、また、始端側の吊架フレーム部材１１の頂部に設けられる補強フレーム部材１４には、連結ベルト１６を取付けて犬の首輪１７と連結されて、支持体１が妄りに左右や前後に動いたり、ずれたりすることを防止している。
【００３４】  なお、胴ベルト１５は、図１に示すようにベルトとバックルを用いても、また、図２に示すように両側のサイドフレーム１２に跨架される伸縮性のある帯状体を用いてもよく、さらに、連結ベルト１６は、図１に示すように索状体を用いるものでも、また、図２に示すように帯状のものであってもいい。
【００３５】  上記のように構成される犬用の自動糞取り装置の作動状態について説明すると、散歩中には、図３及び図８に示すように、犬の背骨に沿って尻部側に支持体１０とわずかに頭部側に傾斜して、Ｌ字状のストッパ２２で規制されている回動体２０が跨架され、また、回動体２０に連続されるパック３１を有する採糞体３０がやや尻の後方に配置されて装着されて走行する。
【００３６】  犬が排便の姿勢に入り腰を落とすと、図４及び図９に示すように、支持体１０に軸着されている回動体２０が、支軸２１を支点として尻側に向かって自動的に回動され、この回動体２０が一定角度回動すると、鈎状ストッパ２３によってその回動が阻止されて止まり、回動体２０に追随して下方向に回動された採糞体３０が、案内索４０の張力が働いて引っ張られ、採糞体３０がやや傾斜状になって尻の下付近に配置されて、排便された糞が紙パック３１内に落下収容される。
【００３７】  排便が終わって犬が元の姿勢に戻すと、回動体２０が背中に跨架されている支持体１０側に回動し、同時に案内索４０の張力により採糞体３０が元の位置に戻される。
【図面の簡単な説明】
【００３８】
【図１】  本発明に係る犬用の自動式糞取り装置を示す斜視図。
【図２】  その平面図。
【図３】  装着状態を示す略示図。
【図４】  排便時の使用状態を示す略示図。
【図５】  回動体のストッパ機構を示す略示図で（イ）は散歩中の装着状態における一側のストッパを（ロ）は他側のストッパを示す。
【図６】  採糞体を示す斜視図。
【図７】  同じく採糞体の端面図。
【図８】  犬に取付けた散歩中の装着状態を示す略示図。
【図９】  犬の排便中の姿勢における使用状態を示す略示図。
【符号の説明】
【００３９】１０      支持体
１１      吊架フレーム部材
１２      サイドフレーム部材
１３      延長端
１４      補強フレーム部材
１５      胴ベルト
１６      連結ベルト
２０      回動体
２１      支軸
２２      Ｌ字状ストッパ
２３      鈎状ストッパ
２４      取付部材
２５      挿通環
３０      採糞体
３１      紙パック
３２      軸支部
３３      保持フレーム
３４      縁枠
３５      差込溝
４０      案内索
【図１】
2006129856.tif 000003
【図２】
2006129856.tif 000004
【図３】
2006129856.tif 000005
【図４】
2006129856.tif 000006
【図５】
2006129856.tif 000007
【図６】
2006129856.tif 000008
【図７】
2006129856.tif 000009
【図８】
2006129856.tif 000010
【図９】
2006129856.tif 000011